(57)【特許請求の範囲】
【請求項１】
負荷に直列に接続される、酸化物超電導体からなる限流素子と、
前記限流素子に磁場を印加するためのコイルと、
発生した異常電流を検出するための手段と、
前記負荷に並列に接続されるスイッチング素子と
前記負荷に並列に接続されかつ前記スイッチング素子に直列に接続される抵抗素子とを備え、
前記異常電流の発生時に、前記コイルは通電されて前記限流素子に磁界を印加し、かつ
前記検出手段による異常電流の検出に応答して、前記スイッチング素子はオン状態となり前記異常電流を部分的に流すためのバイパスを形成することを特徴をする、限流システム。
【請求項２】
複数の前記スイッチング素子が前記負荷に並列に接続され、各スイッチング素子が前記検出手段による異常電流の検出に応答することを特徴とする、請求項１に記載の限流システム。
【請求項３】
複数の前記限流素子が前記負荷に直列に接続され、
各限流素子に磁界を印加するためのコイルが設けられ、
各コイルは前記検出手段による異常電流の検出に応答して通電されることを特徴とする、請求項１または２に記載の限流システム。
【請求項４】
前記スイッチング素子は前記負荷に並列に接続されるサイリスタであることを特徴とする、請求項１〜３のいずれか１項に記載の限流システム。
【請求項５】
前記コイルがビスマス系２２２３相酸化物超電導体からなることを特徴とする、請求項１〜４のいずれか１項に記載の限流システム。
【請求項６】
前記コイルの励磁のため前記異常電流が前記コイルに流されることを特徴とする、請求項１〜５のいずれか１項に記載の限流システム。
【請求項７】
前記限流素子が、強制的に流動されている冷媒によって冷却されることを特徴とする、請求項１〜６のいずれか１項に記載の限流システム。
【請求項８】
前記強制的な流動により、前記冷媒は、前記冷媒の凝固点以下の温度で流動状態に維持されることを特徴とする、請求項１〜７のいずれか１項に記載の限流システム。
【請求項９】
前記負荷を冷却するため強制的に循環される冷媒により、前記限流素子および前記コイルが冷却されることを特徴とする、請求項１〜８のいずれか１項に記載の限流システム。
【請求項１０】
冷媒を強制的に循環するためのポンプ、前記強制的に循環される冷媒を冷却するための第１の冷却手段、前記冷媒を貯留するための容器、前記限流素子および前記コイルに接触する冷媒を冷却するための第２の冷却手段、ならびに前記循環される冷媒を保持するための配管系を備えることを特徴とする、請求項１〜９のいずれか１項に記載の限流システム。
【請求項１１】
前記第１および第２の冷却手段が、ブレイトン・サイクル冷凍機に接続される熱交換器であることを特徴とする、請求項１〜１０のいずれか１項に記載の限流システム。
【請求項１２】
前記第１および第２の冷却手段がスターリング・サイクル冷凍機またはＧＭ冷凍機であることを特徴とする、請求項１〜１１のいずれか１項に記載の限流システム。
【発明の詳細な説明】
【０００１】
【発明の属する技術分野】
本発明は、酸化物超電導体を用いた限流システムに関し、特に酸化物超電導体からなる限流素子の劣化を低減し得る限流システムに関する。
【０００２】
【従来の技術】
電力回路において短絡故障により発生した過大電流を制限するための機器が限流器である。近年、超電導体を用いた限流器が開発されてきた。この超電導限流器は、短絡事故時に超電導体を超電導状態から常電導状態へ転移させる機構を利用している。
【０００３】
超電導限流器には、大きくわけて、金属系超電導体を用いるものと、高温超電導体を用いるものの２種類がある。高温超電導体を用いる方式は、より高い温度で運転できるので、その開発が期待されている。
【０００４】
高温超電導限流器には、主に遮蔽型と抵抗型の２種類がある。遮蔽型限流器は、たとえばIEEE TRANSACTIONS ON APPLIED SUPERCONDUCTIVITY,VOL.5,NO.2,JUNE 1995 に記載されている。トランス構造を有するこの遮蔽型限流器は、同心円状に配置された銅コイル、高温超電導チューブおよび鉄心からなっている。銅コイルは系統とつながれる。その内側に配置される超電導チューブは、銅コイルによる磁束が鉄心に入らないよう磁束を遮蔽する。コイルに過大電流が流れると、遮蔽が破れ、磁束が鉄心に入り、その結果コイルのインダクダンスが急激に増加して限流がなされる。抵抗型限流器において超電導体は系統に直列に接続される。事故時に、過大電流が流れると、超電導体はクエンチし、高い抵抗を発生させる。この発生した抵抗により、限流がなされる。抵抗型限流器には磁場印加式のものもある（エレクトロニクス  １９９１年３月号，ｐｐ４９−５３）。
【０００５】
図１は磁場印加式抵抗型限流器を模式的に示している。限流器１０において、コイル１１の内部空間に超電導体１２が配置される。過大な電流が検出されると、コイル１１は、通電され、超電導体１２に臨界磁界を超える磁界を印加する。その結果、超電導体１２はクエンチさせられ、発生した抵抗により短絡電流は制限される。
【０００６】
【発明が解決しようとする課題】
上述した従来の超電導限流器は、いずれも欠点を有している。遮蔽型限流器では、高い抵抗を得るため大型のコイルが必要であり、コイルのために使用される線材の量は莫大なものになる。抵抗型限流器の場合、超電導体からなる限流素子が劣化しやすい。事故電流の大部分は限流素子のジュール発熱により消費される。このとき、素子の急激な温度上昇がおこり、その結果、素子が焼損したり、超電導体とそれを支持する基材との間の熱膨張差に起因して素子が劣化する可能性がある。高温超電導体は、金属系超電導体に比べて常電導伝搬速度が２桁低く、局所的な温度上昇を生じさせやすい。このため、限流動作中に超電導体の一部の温度が過度に上昇し、その部分が溶断する事故が起こり得る。高温超電導限流素子が液体窒素等の冷媒中に浸漬されて使用されるとき、発熱により発生する気泡が素子を覆い、熱伝導が悪くなる。また、素子に流れる大電流は、素子の温度を上昇させ、そのため復帰の時定数は変わり、事故後の復帰が遅れる可能性がある。
【０００７】
本発明の目的は、抵抗型超電導限流素子の温度上昇および劣化が少ない限流システムを提供することにある。
【０００８】
本発明のさらなる目的は、抵抗型超電導限流素子を用いて、事故後の復帰が比較的早い限流システムを提供することである。
【０００９】
【課題を解決するための手段】
本発明による限流システムは、負荷に直列に接続される、酸化物超電導体からなる限流素子と、限流素子に磁場を印加するためのコイルと、発生した異常電流を検出するための手段と、負荷に並列に接続されるスイッチング素子と、負荷に並列に接続されかつスイッチング素子に直列に接続される抵抗素子とを備える。このシステムにおいて、異常電流の発生時に、コイルは通電されて限流素子に磁界を印加し、かつ検出手段による異常電流の検出に応答して、スイッチング素子はオン状態となり異常電流を部分的に流すためのバイパスを形成する。
【００１０】
本発明において、複数のスイッチング素子を負荷に並列に接続してもよい。各スイッチング素子は検出手段による異常電流の検出に応答することができる。本発明において、複数の限流素子を負荷に直列に接続し、各限流素子に磁界を印加するためのコイルを設けてもよい。各コイルは検出手段による異常電流の検出に応答して通電され得る。本発明において、スイッチング素子は負荷に並列に接続されるサイリスタであることが好ましい。
【００１１】
本発明においてコイルはビスマス系２２２３相酸化物超電導体等の酸化物超電導体からなることが好ましい。
【００１２】
本発明において、コイルの励磁のため、発生した異常電流をコイルに流してもよい。
【００１３】
本発明において、限流素子は、強制的に流動されている冷媒によって冷却してもよい。この強制的な流動により、冷媒は、その凝固点以下の温度で流動状態に維持され得る。
【００１４】
また、本発明において、負荷を冷却するため強制的に循環される冷媒により、限流素子およびコイルを冷却してもよい。そのような冷却系は、たとえば、冷媒を強制的に循環するためのポンプ、強制的に循環される冷媒を冷却するための第１の冷却手段、冷媒を貯留するための容器、限流素子およびコイルに接触する冷媒を冷却するための第２の冷却手段、ならびに循環される冷媒を保持するための配管系を備えることができる。第１および第２の冷却手段はそれぞれ、ブレイトン・サイクル冷凍機に接続される熱交換器とすることができる。また第１および第２の冷却手段をスターリング・サイクル冷凍機またはＧＭ冷凍機としてもよい。
【００１５】
【発明の実施の形態】
以下図面を参照して本発明をより詳細に説明する。図２は、本発明による限流システムの一具体例を模式的に示す。交流電源２８が接続される電力回路においてケーブル等の負荷２３に直列に限流素子２２が接続される。限流素子２２はコイル２１の内部空間に配置される。また電力回路には、事故時に流れる異常電流を検出するためのサーチコイル２６が設けられる。サーチコイル２６は制御回路２７に接続される。さらに電力回路において負荷２３に並列に抵抗素子２４およびスイッチング素子としてのサイリスタ２５が接続される。図中Ｌは回路インダクタンスを表す。サイリスタ２５のゲートは制御回路２７に接続される。またコイル２１も制御回路２７に接続される。限流素子２２はたとえば図３に示すような構造を有する。限流素子２２において基板２２ｂ上にはミアンダ構造の酸化物超電導体薄膜２２ａが形成される。薄膜２２ａの厚みはたとえば１〜５μｍである。酸化物超電導体にはＹＢａ2 Ｃｕ3 Ｏ7-X のイットリウム系高温超電導体が好ましく用いられる。基板には、イットリア安定化ジルコニア、酸化マグネシウム、ハステロイ等が用いられる。サイリスタには高速応答性で高耐圧性のものが好ましく用いられる。
【００１６】
図２に示す限流システムの動作原理は以下のとおりである。負荷２３に短絡電流が流れようとした時点で、サーチコイル２６を介して短絡電流の発生が検出される。検出した電圧をトリガーとして制御回路によりコイル２１は通電され、限流素子２２に磁界が印加される。それまで超電導状態であった素子２２は磁界により常電導状態に転移し、抵抗を発生させる。同時に、制御回路２７によりサイリスタ２５のゲートに電圧が印加され、サイリスタ２５はターンオンの状態となり、抵抗素子２４の比抵抗に応じて短絡電流の一部が流れるバイパスが形成される。かくして、限流素子に発生した抵抗により短絡電流が制限され、かつバイパスによって限流素子に流れる電流が減じられる。磁界の印加によって限流素子の超電導体全体がクエンチさせられるため、限流動作中に超電導体の一部の温度が過度に上昇することが抑制され、部分的な溶断が防がれる。加えて、サイリスタによるバイパスの形成によって、限流素子が限流のため負担するエネルギは減じられ、限流素子へのダメージは低減される。このことは、限流素子での温度上昇の抑制および限流素子の超電導状態への早い復帰につながる。
【００１７】
本発明による限流システムのさらなる具体例を図４に示す。この具体例は複数の限流素子およびスイッチング素子を有している。交流電源４８が接続される電力回路においてケーブル等の負荷４３に直列に３つの限流素子４２ａ、４２ｂおよび４２ｃが接続される。限流素子４２ａ、４２ｂおよび４２ｃはそれぞれコイル４１ａ、４１ｂおよび４１ｃの内部空間に配置される。また電力回路には、事故時に流れる異常電流を検出するためのサーチコイル４６が設けられる。サーチコイル４６は制御回路４７に接続される。さらに電力回路において負荷４３に並列に３つの抵抗素子４４ａ、４４ｂおよび４４ｃならびにスイッチング素子としてのサイリスタ４５ａ、４５ｂおよび４５ｃが接続される。図中Ｌは回路インダクタンスを表す。サイリスタ４５ａ〜４５ｃの各ゲートは制御回路４７に接続される。またコイル４１ａ〜４１ｃも制御回路４７に接続される。限流素子４２ａ〜４２ｃにはたとえば上述と同様のものが用いられる。サイリスタには高速応答性で高耐圧性のものが好ましく用いられる。
【００１８】
図４に示す限流システムの以下のように動作させることができる。負荷４３に短絡電流が流れようとした時点で、サーチコイル４６を介して短絡電流の発生が検出される。検出した電圧をトリガーとして制御回路４７によりコイル４１ｃが通電され、限流素子４２ｃに磁界が印加される。それまで超電導状態であった素子４２ｃは磁界により常電導状態に転移し、抵抗を発生させる。同時に、制御回路４７によりサイリスタ４５ｃのゲートに電圧が印加され、サイリスタ４５ｃはターンオンの状態となり、抵抗素子４４ｃの比抵抗に応じて短絡電流の一部が流れるバイパスが形成される。このとき、検出器（図示省略）により測定された限流素子４２ｃ両端の電圧が所定の値以上であるとき、制御回路４７によりコイル４１ｂが通電され、限流素子４２ｂに磁界が印加される。素子４２ｂは磁界により常電導状態に転移し、限流作用のための抵抗を発生させる。同時に、制御回路４７によりサイリスタ４５ｂのゲートに電圧が印加され、抵抗素子４４ｂの比抵抗に応じて短絡電流の一部が流れる追加のバイパスが形成される。一方、測定された電圧が所定の値に満たないとき、素子４２ａ、抵抗素子４２ａおよびサイリスタ４５ａのみが限流動作に関与する。さらに、検出器（図示省略）により測定された限流素子４２ｂ両端の電圧が所定の値以上であるとき、同様にしてコイル４１ａが励磁され、サイリスタ４５ａがターンオンの状態となる。このようにして３つの限流素子と３つのサイリスタが限流動作に関与する。一方、素子４２ｂの両端の電圧が所定の値に満たないとき、コイル４２ａおよびサイリスタ４５ａは限流動作に関与しない。このようにして、必要に応じ、適当な数および／または位置の限流素子ならびにサイリスタを作動させることができる。
【００１９】
図４に示す限流システムは以下のように作動させてもよい。負荷４３に短絡電流が流れようとした時点で、サーチコイル４６を介して短絡電流の発生が検出される。検出した電圧をトリガーとして制御回路４７により３つのコイル４１ａ〜４２ｃが通電され、３つの限流素子４２ａ〜４２ｃにそれぞれ磁界が印加される。それまで超電導状態であった３つの素子は磁界により常電導状態に転移し、抵抗を発生させる。同時に、制御回路４７により３つのサイリスタ４５ａ〜４５ｃのゲートに電圧が印加され、サイリスタ４５ａ〜４５ｃはターンオンの状態となり、抵抗素子４４ａ〜４４ｃの比抵抗に応じて短絡電流の一部が流れる３つのバイパスが形成される。この場合のシミュレーション回路を図５に示す。図中、Ｅは電源電圧、Ｌは回路インダクタンス、ＲG1、ＲG2、ＲG3はそれぞれ限流素子の抵抗、ＲLOADは負荷の抵抗、Ｒ1 、Ｒ2 、Ｒ3 はそれぞれ抵抗素子の抵抗を表す。Ｅが１００Ｖ、Ｌが０．０１Ｈ、ＲG1、ＲG2、ＲG3がそれぞれ０．０５Ω（ノーマル時）、ＲLOADが０．２０Ω、Ｒ1 、Ｒ2 、Ｒ3 がそれぞれ２０Ωの場合のシミュレーションの結果を図６に示す。図６中、実線は本発明の場合の結果、点線は抵抗素子およびサイリスタがない場合の結果を示している。この結果は、本発明による限流システムが、穏やかな限流をもたらし、かつ限流動作後、電流をほぼゼロに減衰させることができることを示している。一方、限流素子のみの場合、限流が一時的に急に起こり、限流動作後、一定の電流がある時間残り得ることがわかった。
【００２０】
本発明において複数の限流素子を用いれば、短絡電流のエネルギをそれらに適当な態様で分配することができ、各素子のダメージを最小限に抑えることができる。必要に応じて限流素子に磁界を印加するコイルの数を決めることができる。複数の限流素子に１つのコイルで磁界を印加してもよいし、各限流素子にそれぞれコイルを設けてもよい。限流素子、コイル、抵抗素子およびスイッチング素子の数は、限流システムが使用される系統において想定される事故電流に応じて最適なものに設定すればよい。また、限流素子に磁場を印加するためコイルに直接事故電流を流すシステムを設けてもよい。
【００２１】
上述した限流システムに、表１に示すようなコイルを用いることができる。
【００２２】
【表１】
0003864596.tif 000002
【００２３】
たとえばこのコイル両端に１３０Ｖの電圧を印加し、０．１秒の高速で０．５Ｔの磁場をコイルの中心部に発生させる。この磁場を印加された限流素子は常電導状態に転移する。限流素子にイットリウム系酸化物超電導体（ＹＢＣＯ）薄膜を用いる場合、その臨界電流密度（Ｊｃ）の磁場依存性はたとえば図７のようになる。この超電導体の磁場ゼロ７７Ｋにおける臨界電流密度は１０万Ａ／ｃｍ2 である。図中、（Ｎｉ）はＮｉ基板上に形成されたＹＢＣＯ薄膜を表し、（ＳｒＴｉＯ3 ）はＳｒＴｉＯ3 基板上形成されたＹＢＣＯ薄膜を表す。図からわかるように、たとえば７７Ｋで０．５Ｔの磁場をＹＢＣＯ薄膜に印加すると、Ｊｃは約１／４に低下する。したがって、７７Ｋで臨界電流付近の電流を流す場合、０．５Ｔの磁場によって容易にＹＢＣＯ限流素子を超電導から常電導に転移させ、高速で限流動作に入らせることができる。一方、磁場をゼロにすれば、高速で超電導状態を復帰させることができる。
【００２４】
本発明による限流システムは図８に示すような冷却システムに組み込むことができる。なお、図をわかりやすくするため、限流システムのスイッチング素子、抵抗素子、短絡電流検出器およびそれらの制御機構を省略している。この冷却システムにより、負荷と限流システムは、循環する共通の冷媒によって冷却される。限流素子８２ａ、８２ｂ、８２ｃおよびコイル８１は断熱式のＦＲＰ製容器９１に収容される。素子８２ａ〜８２ｃに磁場を印加するためのコイル８１はたとえばビスマス系２２２３相酸化物超電導コイルである。このシステムでは、１つのコイルが３つの限流素子に磁場を印加する。３つの限流素子は、ケーブル負荷８３および電源８８に、直列でブッシング８４を介して接続される。容器９１内にはさらに熱交換器９６ａが収容される。コイル８１は別の電源９８に接続される。ケーブル８３、限流素子８２ａ〜８２ｃおよびコイル８１を冷却する冷媒は、ケーブル８３および容器９１を通過する配管系９２において、ポンプ９３により強制的に循環される。ポンプ９３により冷媒は二重管９４ａを通ってタンク９５に送られる。タンク９５内には冷却のための熱交換器９６ｂが設けられる。また、タンク９５内には冷媒を攪拌するためのスクリュー９７が設けられている。タンク９５を出た冷媒は、ケーブル負荷８３に送られる。冷媒は、ケーブル負荷８３からＦＲＰ容器９１に送られ、限流素子８２ａ〜８２ｃおよびコイル８１を冷却する。容器９１を出た冷媒は二重管９４ｂを介してポンプ９３に送られる。このシステムにおいて冷媒はブレイトン・サイクル冷凍機１０１によって冷却される。ブレイトン・サイクル冷凍機１０１は、ヘリウムガスを断熱膨張するための膨張タービン１０２および断熱圧縮するためのコンプレッサー１０３を有する。ヘリウムガスは配管系１０４を介し冷凍サイクルにおいて循環させられている。配管系１０４には冷却のための熱交換器９６ａおよび９６ｂが配置される。このような冷却システムにおいて強制的な循環によって冷媒を流動させる場合、静止状態にある冷媒の本来の凝固点または三重点以下の温度で、冷媒を流動状態に保つことができる。過冷却状態にある冷媒で冷却を行なえば、超電導体においてより高いＪｃを得ることができる。超電導ケーブルを負荷に用いる場合、このような過冷却状態はより有利である。冷却システムにおいて冷媒の温度を本来の凝固点または三重点以下にする場合、冷媒の粘度をモニターする手段および冷媒の流量を測定する手段を配管系に設けることが好ましい。負荷および限流システムのための冷媒には、液体窒素、液体空気、液体窒素と液体酸素との混合物等を使用することができる。また、タンク９５に気体の空気を供給して、熱交換器９６ｂの冷却により液化してもよい。液化された空気は、ポンプ９３によって循環される。
【００２５】
また、本発明による限流システムは図９に示すような冷却システムに組み込んでもよい。なお、図をわかりやすくするため、限流システムのスイッチング素子、抵抗素子、短絡電流検出器およびそれらの制御機構を省略している。この冷却システムでも、負荷と限流システムは、循環する共通の冷媒によって冷却される。限流素子８２ａ、８２ｂ、８２ｃおよび対応するコイル８１ａ、８１ｂ、８１ｃは断熱式のＦＲＰ製容器９１に収容される。隣り合う素子同士の間には鋼鉄製の遮蔽板１１０ａ、１１０ｂが設けられ、各素子が独立して作動するようになっている。素子８２ａ〜８２ｃにそれぞれ磁場を印加するためのコイル８１ａ〜８１ｃはたとえばビスマス系２２２３相酸化物超電導コイルである。３つの限流素子は、超電導機器１１３および電源８８に、直列でブッシング８４を介して接続される。容器９１内にはさらに、圧縮機１２０ａおよびピストン１２０ｂを有するＧＭ冷凍機１２０の熱交換器１２１が収容される。コイル８１ａ〜８１ｃは別の電源９８に接続される。冷媒は、配管系９２において、ポンプ９３により強制的に循環される。ポンプ９３により冷媒は二重管９４ａを通ってタンク９５に送られる。タンク９５内には、圧縮機１３０ａおよび１３０ｂを有するＧＭ冷凍機１３０の熱交換器１３１が収容される。また、タンク９５内には冷媒を攪拌するためのスクリュー９７が設けられている。タンク９５を出た冷媒は、超電導機器１１３に送られる。冷媒は、超電導機器１１３からＦＲＰ容器９１に送られ、限流素子８２ａ〜８２ｃおよびコイル８１ａ〜８１ｃを冷却する。容器９１を出た冷媒は二重管９４ｂを介してポンプ９３に送られる。このシステムにおいて容器９１内の冷媒およびタンク９５内の冷媒は独立にＧＭ冷凍機によって冷却される。この冷却システムは、図８に示すものより簡便であり、負荷のサイズが比較的小さい場合に適している。このような冷却システムにおいても強制的な循環によって冷媒を流動させる場合、静止状態にある冷媒の本来の凝固点または三重点以下の温度で、冷媒を流動状態に保つことができる。過冷却状態にある冷媒で冷却を行なえば、超電導体においてより高いＪｃを得ることができる。冷却システムにおいて冷媒の温度を本来の凝固点または三重点以下にする場合、冷媒の粘度をモニターする手段および冷媒の流量を測定する手段を配管系に設けることが好ましい。負荷および限流システムのための冷媒には、液体窒素、液体空気、液体窒素と液体酸素との混合物等を使用することができる。また、タンク９５に気体の空気を供給して、熱交換器１３１の冷却により液化してもよい。液化された空気は、ポンプ９３によって循環される。
【００２６】
上記冷却システムでは、限流素子とコイルを同じ冷媒で同時に冷却しているが、限流素子とコイルとをそれぞれ異なる冷却システムで冷却してもよい。また、負荷と限流システムとをそれぞれ異なる冷却システムで冷却してもよい。この場合でも、冷媒を循環させることが好ましい。
【００２７】
【発明の効果】
本発明によれば、超電導限流素子に負担させるエネルギを減らすことができ、限流時の素子へのダメージを減らすことができる。本発明による限流システムは、穏やかにかつ安定して事故電流を減衰させ得る。限流素子における温度上昇も低減することができる。このため、復帰の早い限流システムを提供することができる。また、冷媒を循環する限流システムでは、冷媒をプールするシステムに比べて約５倍の冷凍能力を見込むことができる。
【図面の簡単な説明】
【図１】磁場印加式超電導限流器の一具体例を示す模式図である。
【図２】本発明による限流システムの一具体例を模式的に示す図である。
【図３】限流素子の一具体例を模式的に示す図である。
【図４】本発明による限流システムのもう一つの具体例を模式的に示す図である。
【図５】図４に示す限流システムのシミュレーション回路を示す図である。
【図６】図５に示す回路におけるシミュレーションの結果を示す図である。
【図７】ＹＢＣＯ薄膜限流素子のＪｃ−Ｂ−Ｔ特性を示す図である。
【図８】限流システムのための冷却システムの一具体例を示す模式図である。
【図９】限流システムのための冷却システムのもう一つの具体例を示す模式図である。
【符号の説明】
２１、４１ａ、４１ｂ、４１ｃ  コイル
２２、４２ａ、４２ｂ、４２ｃ  限流素子
２３  負荷
２４、４４ａ、４４ｂ、４４ｃ  抵抗素子
４３  ケーブル負荷
２５、４５ａ、４５ｂ、４５ｃ  サイリスタ
【図１】
0003864596.tif 000003
【図２】
0003864596.tif 000004
【図３】
0003864596.tif 000005
【図４】
0003864596.tif 000006
【図５】
0003864596.tif 000007
【図６】
0003864596.tif 000008
【図７】
0003864596.tif 000009
【図８】
0003864596.tif 000010
【図９】
0003864596.tif 000011